(57)【要約】【課題】金属ブレイドの厚みを薄くしてもバネ性により変形しにくく、変形しても元の形状に戻り易く、回転などの動きがよく、魚を惹きつける特性の高い金属ブレイド付き釣用ルアーを提供する。【解決手段】本発明は、金属ブレイド(8,10)付き釣用ルアーであって、金属ブレイド(8,10)はりん青銅板を所定形状に打ち抜き成形したりん青銅ブレイドである。りん青銅ブレイド(8,10)の厚みは好ましくは０．１５〜０．３０ｍｍの範囲である。これにより、金属ブレイドの厚みを薄くしてもバネ性により変形しにくく、変形しても元の形状に戻り易く、回転や水流抵抗による不規則な動きがよく、魚を惹きつける特性の高い釣用ルアーを提供できる。【選択図】図１
2012147701.tif 000002
【特許請求の範囲】
【請求項１】
金属ブレイド付き釣用ルアーであって、
前記金属ブレイドは、りん青銅板を所定形状に打ち抜き成形したりん青銅ブレイドであることを特徴とする金属ブレイド付き釣用ルアー。
【請求項２】
前記りん青銅ブレイドの厚みが０．１５〜０．３０ｍｍの範囲である請求項１に記載の金属ブレイド付き釣用ルアー。
【請求項３】
前記りん青銅ブレイドは、バネ性を有し、応力変形しても元の形状に戻る性質を有する請求項１又は２に記載の金属ブレイド付き釣用ルアー。
【請求項４】
前記りん青銅ブレイドの材質は、すず（Ｓｎ）３．５〜９．０質量％、りん（Ｐ）０．０３〜０．３５質量％、銅（Ｃｕ）＋Ｓｎ＋Ｐ＝９９．５質量％以上である請求項１〜３のいずれか１項に記載の金属ブレイド付き釣用ルアー。
【請求項５】
前記りん青銅ブレイドは、表面反射用メッキがされている請求項１〜４のいずれか１項に記載の金属ブレイド付き釣用ルアー。
【請求項６】
前記りん青銅ブレイドは、スピナーベイト又はジグスピナーのシャフトに回転可能に取り付けられている請求項１〜５のいずれか１項に記載の金属ブレイド付き釣用ルアー。
【請求項７】
前記りん青銅ブレイドは、ラバージグ、メタルジグ、スプーン、スピナー又はペンシルベイトのラインアイに取り付けられている請求項１〜５のいずれか１項に記載の金属ブレイド付き釣用ルアー。
【発明の詳細な説明】
【技術分野】
【０００１】
本発明は、改良された金属ブレイド付き釣用ルアーに関する。
【背景技術】
【０００２】
近年、木製やプラスチック製の釣用ルアー（疑似餌）を用いたルアーフィッシングが盛んに行われている。ルアーフィッシングでは、対象魚の種類等に応じて種々のルアーが使用されている。
【０００３】
上記ルアーにはハードルアーコンビネーションルアーと呼ばれるものがあり、この中にはスプーン、スピナー、プラグ、ジグなどがある。また、コンビネーションルアーと呼ばれるものがあり、この中にはスピナーベイト、ジグスピナー、バズベイトなどがある。前記プラグとしては下記のものを例示できる（非特許文献１）。
（１）水面上に浮かべて使用するルアー（トップウォーターともいう）として、ペンシルベイト、スウィッシャー、ポッパー、ノイジー等
（２）リップ付きで水中で使用するミノー、クランクベイト等
（３）その他として、バイブレーション・プラグ等
【０００４】
また、特許文献１にはジグスピナーにおいてシャフトとブレイドとブレイドの取り付け具を一直線に固定して、ブレイドの回転を円滑にすることが提案されている。特許文献２にはペンシルベイトなどのルアー本体の頭部にアルミニウム、チタン、ステンレスなどの金属製揺動板（ブレイド）を取り付けて、ルアーの動きに変化を与える提案がされている。
【先行技術文献】
【特許文献】
【０００５】
【特許文献１】特開２００４−２７５１６１号公報
【特許文献２】特開２００８−１６７６９２号公報
【非特許文献】
【０００６】
【非特許文献１】橋口彰一郎ら編著、「新・ルアーフィッシング入門」、２００４年７月２８日、学習研究社、２８〜３９頁
【発明の概要】
【発明が解決しようとする課題】
【０００７】
しかし、前記従来のルアーに取り付けられているブレイドは、アルミニウム、チタン、ステンレス、真鍮などの厚みが０．４〜０．６ｍｍ程度の金属製シートを打ち抜いて成形したものであり、前記の範囲より厚みが薄いと変形して使えなくなり、厚いと回転などの動きがなくなって魚を惹きつけることができないという問題があった。
【０００８】
本発明は、前記従来の問題を解決するため、金属ブレイドの厚みを薄くしてもバネ性により変形しにくく、変形しても元の形状に戻り易く、回転などの動きがよく、魚を惹きつける特性の高い金属ブレイド付き釣用ルアーを提供する。
【課題を解決するための手段】
【０００９】
本発明は、金属ブレイド付き釣用ルアーであって、前記金属ブレイドはりん青銅板を所定形状に打ち抜き成形したりん青銅ブレイドであることを特徴とする。
【発明の効果】
【００１０】
本発明の金属ブレイド付き釣用ルアーは、金属ブレイドはりん青銅シートを所定形状に打ち抜き成形したブレイドであることにより、金属ブレイドの厚みを薄くしてもバネ性により変形しにくく、変形しても元の形状に戻り易く、回転や水流抵抗による不規則な動きがよく、魚を惹きつける特性の高い釣用ルアーを提供できる。
【図面の簡単な説明】
【００１１】
【図１】図１は本発明における一実施例のブレイド付きルアーの側面図である。
【図２】図２は本発明の別の実施例のスピナーベイトの側面図である。
【図３】図３は本発明のさらに別の実施例のブレイド付きルアーの側面図である。
【図４】図４Ａは同ルアーのブレイドの正面図、図４Ｂは図４ＡのＩ−Ｉ線断面図、図４Ｃは図４ＡのＩＩ−ＩＩ線断面図である。
【図５】図５は本発明のさらに別の実施例のメタルジグにブレイドを付けた側面図である。
【図６】図６は本発明のさらに別の実施例のラバージグにブレイドを付けた側面図である。
【発明を実施するための形態】
【００１２】
本発明の金属ブレイドは、りん青銅製シートを所定形状に打ち抜き成形したブレイドである。りん青銅製ブレイドの材質は、すず（Ｓｎ）３．５〜９．０質量％、りん（Ｐ）０．０３〜０．３５質量％、銅（Ｃｕ）＋Ｓｎ＋Ｐ＝９９．５質量％以上、残部が不可避的微量成分である。より具体的には、りん青銅の化学成分はJIS H 3731に規定されており、次の表１のとおりである。
【００１３】
【表１】
2012147701.tif 000003
【００１４】
Ｐは脱酸剤として用いられている。りん青銅は展延性、耐疲労性、耐食性がよい性質を有する。Ｃ５１９１、Ｃ５２１２はバネ材に適する。Ｃ５２１０は高性能バネ材に適する。本発明においては、りん青銅であればどの合金番号のものでも使用できる。
【００１５】
本発明の金属ブレイドの厚みは用途に合わせてどのような厚みでも採用できる。非回転機能のブレイドの場合の好ましい厚みは０．１５〜０．３０ｍｍの範囲である。回転機能を有するブレイドの場合の好ましい厚みは０．１５〜０．２５ｍｍの範囲である。この範囲であれば、回転体の場合は回転しやすく、非回転体の場合は水流抵抗による変化があり好ましい。さらに使用時に変形してもバネ性により元の状態に戻り易く、耐久性も高い。
【００１６】
りん青銅製ブレイドはバネ性を有する。これにより、応力変形しても元の形状に戻る性質を有する。この性質は魚や他の物体と接触し、大きな応力を受けた場合に変形しても、応力が取り除かれると元の形状に戻り、耐久性が高い利点となる。
【００１７】
りん青銅製ブレイドは、そのままでも耐食性があるが、表面反射用メッキがされていることが好ましい。キラキラ反射をすると魚の関心を惹きつけやすい。表面反射用メッキは金メッキ、ニッケルメッキ、クロムメッキ、ニッケルクロムメッキ、ブラックニッケルメッキなどが好ましい。
【００１８】
りん青銅製ブレイドは、一例としてスピナーベイト又はジグスピナーのシャフトに回転可能に取り付ける。回転すると魚の関心を惹きつけやすい。別の例としては、ラバージグ、メタルジグ、スプーン、スピナー又はペンシルベイトのラインアイに取り付ける。水流抵抗により、変化のある動きをし、こちらも魚の関心を惹きつけやすい。本発明において、ブレイドの形状は、矩形、台形、円形、木の葉形、これらの形状に湾曲面を入れたり、うろこ状の凹凸形状を組み合わせるなどの様々な形状であってもよい。このブレイドは金型で成形する際に打ち抜き加工によって製造できる。
【００１９】
以下図面によって説明する。図１は本発明における一実施例のブレイド付きルアーの側面図である。このルアーはスピナーベイトである。ヘッド１の下方にラバースカート２が固定されており、その中に隠れるようにフック３が接続されている。ヘッドの上部にはシャフト７が接続されている。シャフト７はローアーム４とラインアイ５とアッパーアーム６で構成されている。ラインアイ５は釣り糸を結びつける。アッパーアーム６の先端はリングになっており、ここにスイベル１１を介してリアブレイド１０を回転可能に取り付ける。アッパーアーム６の中間にはクレビス９を介してフロントブレイド８を回転可能に取り付ける。この例はダブルウィローと呼ばれる。フロントブレイド８とリアブレイド１０の好ましい形状と大きさは、木の葉形で主面に湾曲が入っており、リアブレイド１０のほうが大きいのが好ましい。
【００２０】
図２は別の実施例のスピナーベイトの側面図である。図１と異なるのはフロントブレイド８がない点である。この例はシングルウィローと呼ばれる。その他のスピナーベイトとしては図示しないが、図２の木の葉形のブレイドに換えてスプーン形のブレイドを取り付けたシングルスピン、スプーン形のブレイド２枚を図１のように取り付けたタンデムスピン、先端に木の葉形ブレイド、中間にスプーン形ブレイドを取り付けたウィローリーフ・タンデムなどがある。いずれも本発明のブレイドを取り付けると、バネ性により変形しにくく、変形しても元の形状に戻り易く、回転などの動きがよく、魚を惹きつける特性の高いルアーとなる。
【００２１】
図３はさらに別の実施例のペンシルベイトである。ルアー２０の基本形は、ボディ２１に目の形をしたアイ２２が描かれており、先端部にラインアイ２９が接続されている。腹部にはフックハンガー２３がボディ２１に固定され、このフックハンガー２３にフロントフック２５が接続されている。フロントフック２５はダブルフックでもトリプルフックでもよい。尾部にはフックハンガー２４がボディ２１に固定され、このフックハンガー２４にリアフック２６が接続されている。リアフック２６もダブルフックでもトリプルフックでもよい。このような基本形のルアーに、ブレイド２７を取り付けたのが本発明の実施例品である。
【００２２】
まず、ブレイド２７はボディ２１の先端部のラインアイ２９にスナップ２８により取り付ける。この実施例においては、ブレイド７に孔２７ａ，２７ｂをあけておき、ここに金属線を通しかつラインアイ２９にも通してループ状の環とし、環のいずれかの部分で環を閉じる、２８ｂは環を閉じた部分である。これにより、ブレイドとラインの動きを抑制する。２８ａはラインをつなぐ部分である。
【００２３】
図４Ａは図３に示すブレイド２７の平面図である。ブレイド２７は台形に近く、２つの角をカットした形状である。ほぼ中央付近に２つの孔２７ａ，２７ｂがあけられており、この中にスナップ２８の金属線を通している。図４Ｂは図４ＡのＩ−Ｉ線断面図である。ブレイド２７はルアー本体の泳動進行方向Ｆに向かって、中央が凹の湾曲形状に形成されている。図４Ｃは図４ＡのＩＩ−ＩＩ線断面図である。スナップ２８と、ラインをつなぐ部分２８ａと、環を閉じた部分２８ｂを示している。
【００２４】
図５は本発明のさらに別の実施例のメタルジグ３０にブレイドを付けた側面図である。このメタルジグ３０は、ボディ３１とトリプルフック３２を備え、図３〜４に示すブレイド２７を備えている。
【００２５】
図６は本発明のさらに別の実施例のラバージグ４０にブレイド４６を取り付けた側面図である。このラバージグ４０は、ヘッド４１とラバースカート４２とウィードガード４３と、フック４４を備えている。このブレイドはやや縦長の変形６角形をしており、下辺の中央部から内側に向かって孔４７ａ，４７ｂ，４７ｃが開けられている。下辺に近い孔４７ａにはヘッド４１に取り付けたスプリットリング４５を通して固定する。孔４７ｂ，４７ｃにはスナップ４８を図４Ｃのスナップ２８と同様にブレイド４６に取り付け、先端部に釣り糸（ライン）を結合する。
【実施例】
【００２６】
以下、実施例を用いて本発明をさらに具体例に説明する。なお、本発明は下記の実施例に限定されるものではない。
【００２７】
（実施例１）
図１に示すスピナーベイトにフロントブレイド８とリアブレイド１０を取り付けた。このブレイド８，１０の材質は、表２に示すとおりである。りん青銅板は合金番号Ｃ５２１２を使用した。大きさと形状は次のとおりである。
（１）フロントブレイド８：長さ３２ｍｍ、最大幅１０ｍｍ、木の葉形、主面方向にやや湾曲、重量０．５ｇ
（２）リアブレイド１０：長さ４２ｍｍ、最大幅１７ｍｍ、木の葉形、主面方向にやや湾曲、重量１．０１ｇ
【００２８】
表面には反射用金メッキをした。りん青銅板の厚みは表２に示すとおりである。ブレイド８，１０は回転が可能に取り付けた。スピナーベイトのヘッド１は比重の高い金属製であり、ラバースカート２の長さは６５ｍｍとした。
【００２９】
このブレイド付き釣用スピナーベイトを実際にラインで引いて水中で使用した。この結果を次の表２に示す。表２における評価は次のとおりとした。
（１）釣り成果：１時間で１０匹以上釣れたときは良好、５匹以上１０匹未満は普通、５匹未満は不良とした。
（２）耐久性：１０匹釣れた時点における形状を観察し、変形がなく依然として使用可能な状態であれば「あり」、変形して使用不能の状態であれば「なし」とした。
【００３０】
【表２】
2012147701.tif 000004
【００３１】
本発明の実施例品は水流抵抗による不規則な動きがよく、釣り成果も高かった。これは上下左右に不規則で大きな変化をした泳ぎをし、変幻自在な動きをし、あたかも小魚が泳ぐような挙動をし、いわゆるルアーにアクションをさせることができ、例えば蛇行、千鳥、エスケープ・アクションしたり、急に方向を変えたり、しゃくり上げたりという釣りの対象とする魚を誘うような動作した。このような複雑な動きを数値化することは難しいが、リールで通常の使用速度約０．６〜１．２ｍ／秒の速度で引いたとき、予測できない不規則な動きが認められた。そして、釣りの成果は従来のルアーには見られないほど顕著なものであり、小型魚〜中型魚の一般魚にも好適であり、ブラックバス等の大型魚を釣るのにとくに好適であることが確認できた。これは、ブレイドが前後左右上下に動き、様々な方向にルアーを導くからであると推認される。
【００３２】
また本発明の実施例品は、魚が当たったり、魚からフックを外す場合にブレイドに応力がかかり変形しても形状回復性が認められた。その結果、厚みを薄くしてもバネ性により変形しにくく、変形しても元の形状に戻り易く、耐久性も良好であった。
【００３３】
これに対して実験番号１−４（真鍮製）は厚みが薄すぎて耐久性に問題があり、１−５〜１−８は厚すぎて変化が乏しく釣り成果もよくなかった。なお１−５〜１−８は従来品に該当する。
【００３４】
（実施例２）
図６に示すようにラバージグ４０にブレイド４６を取り付けた。このブレイド４６の材質は、表３に示すとおりである。りん青銅板は合金番号Ｃ５１９１を使用した。大きさは下辺が６ｍｍ、他の辺は１０ｍｍ、縦１９ｍｍ、ヨコの最大幅１６ｍｍのやや縦長の変形６角形（平板、重量０．４７ｇ）であった。表面には反射用金メッキをした。りん青銅板の厚みは表３に示すとおりである。ブレイドに開けた孔４７ａの直径はスプリットリング４５の線径よりも大きく、また孔４７ｂ，４７ｃの直径はスナップ４８の線径よりも大きく、スプリットリング４５とブレイド４６、及びブレイド４６とスナップ４８とは、いずれもフリーな動きができるように取り付けた。ラバージグ４０はヘッド４１が直径８ｍｍの球体の比重の高い金属に銀色の着色をしたものであり、ラバースカート４２の長さは３５〜６０ｍｍ、ウィードガード４３の長さは約２０ｍｍとした。
【００３５】
このブレイド付き釣用ラバージグを実際にラインで引いて水中で使用した。この結果を次の表３に示す。表３における評価は表２と同様とした。
【００３６】
【表３】
2012147701.tif 000005
【００３７】
本発明の実施例品は水流抵抗による不規則な動きがよく、釣り成果も高かった。これは上下左右に不規則で大きな変化をした泳ぎをし、変幻自在な動きをし、あたかも小魚が泳ぐような挙動をし、いわゆるルアーにアクションをさせることができ、例えば蛇行、千鳥、エスケープ・アクションしたり、急に方向を変えたり、しゃくり上げたりという釣りの対象とする魚を誘うような動作した。このような複雑な動きを数値化することは難しいが、リールで通常の使用速度約０．６〜１．２ｍ／秒の速度で引いたとき、予測できない不規則な動きが認められた。そして、釣りの成果は従来のルアーには見られないほど顕著なものであり、小型魚〜中型魚の一般魚にも好適であり、ブラックバス等の大型魚を釣るのにとくに好適であることが確認できた。これは、ブレイドが前後左右上下に動き、様々な方向にルアーを導くからであると推認される。
【００３８】
また本発明の実施例品は、魚が当たったり、魚からフックを外す場合にブレイドに応力がかかり変形しても形状回復性が認められた。厚みを薄くしてもバネ性により変形しにくく、変形しても元の形状に戻り易く、耐久性も良好であった。
【００３９】
これに対して実験番号２−４（真鍮製）は厚みが薄すぎて耐久性に問題があり、２−５〜２−８は厚すぎて変化が乏しく釣り成果もよくなかった。なお２−５〜２−８は従来品に該当する。
【００４０】
（実施例３）
実施例１においてブレイドのりん青銅板を合金番号Ｃ５２１２に換えて表４とした以外は実施例１と同様に実験した。
【００４１】
このブレイド付き釣用スピナーベイトを実際にラインで引いて水中で使用した。この結果を次の表４に示す。表４における評価は表２と同様とした。
【００４２】
【表４】
2012147701.tif 000006
【００４３】
この結果、いずれの合金番号品でも実施例１の本発明品と同等の良好な結果が得られた。
【００４４】
（実施例４）
図４Ａ−Ｃに示すブレイド２７を作成した。このブレイド２７の材質は、厚さ０．２０ｍｍのニッケルメッキを施した合金番号Ｃ５１９１のりん青銅板（重量０．４ｇ）を使用した。大きさは、もっとも幅の広い部分が２０ｍｍ、もっとも幅の狭い部分が１８ｍｍ、高さ１８ｍｍ、面積３４２ｍｍ2、取り付け穴２７ａ，２７ｂの直径が２ｍｍ、取り付け穴２７ａ，２７ｂの間も２ｍｍとした。スナップ２８を構成する金属材料は太さが直径０．５ｍｍの軟鉄線とし、全体のループ長さ１５ｍｍ、ループの先端から環を閉じた部分２８ｂまでの距離は７ｍｍ、ブレイドが自由に動ける距離８ｍｍとした。
【００４５】
このブレイド７を図３に示すように長さ８０ｍｍのペンシルベイト２０に取り付け、実際にラインで引いて水中で使用した。この結果、驚くべきことに、上下左右に不規則で大きな変化をした泳ぎをし、変幻自在な動きをし、あたかも小魚が泳ぐような挙動であり、いわゆるルアーにアクションをさせることができ、例えば蛇行、千鳥、エスケープ・アクションしたり、急に方向を変えたり、しゃくり上げたりという釣りの対象とする魚を誘うような動作した。このような複雑な動きを数値化することは難しいが、リールで通常の使用速度約０．６〜１．２ｍ／秒の速度で引いたとき、予測できない不規則な動きが認められた。そして、釣りの成果は従来のルアーには見られないほど顕著なものであり、小型魚〜中型魚の一般魚にも好適であり、ブラックバス等の大型魚を釣るのにとくに好適であることが確認できた。これは、ブレイド２７が前後左右上下に動き、様々な方向にルアーを導くからであると推認される。また本発明の実施例品は、魚が当たったり、魚からフックを外す場合にブレイドに応力がかかり変形しても形状回復性が認められた。厚みを薄くしてもバネ性により変形しにくく、変形しても元の形状に戻り易く、耐久性も良好であった。
【００４６】
以上のとおり、従来のルアーではライン（糸）を引っ張る方向に直線的にしか動かないので、ルアーの動きに慣れてしまった魚（スレた魚）に対しては、釣果は上げられなかったが、本発明のルアーではあらゆる方向に不規則に動くので、逃げ惑う小魚のようにルアーを演出し、捕食行動を起こさせたり、また予想外の動きに反射的に対象魚を反応させることができ、スレた魚に対しても釣果は上げることができる。
【産業上の利用可能性】
【００４７】
本発明のりん青銅ブレイドは、スピナーベイト又はジグスピナーのシャフトに回転可能に取り付けたり、ラバージグ、メタルジグ、スプーン、スピナー又はペンシルベイトのラインアイに取り付けて使用できる。ルアーの材料は、樹脂製、ゴム製、金属製、木材製等いかなるものであってもよい。
【符号の説明】
【００４８】
１  スピナーベイトのヘッド
２  ラバースカート
３  フック
４  ローアーム
５  ラインアイ
６  アッパーアーム
７  シャフト
８  フロントブレイド
９  クレビス
１０  リアブレイド
１１  スイベル
２０  ペンシルベイトルアー
２１  ボディ
２２  アイ
２３，２４  フックハンガー
２５  フロントフック
２６  リアフック
２７，４６  ブレイド
２７ａ，２７ｂ  ブレイドの孔
２８，４８  スナップ
２９  ラインアイ
３０  メタルジグ
３１  ボディ
３２  トリプルフック
４０  ラバージグ
４１  ヘッド
４２  ラバースカート
４３  ウィードガード
４４  フック
４５  スプリットリング
４７ａ，４７ｂ，４７ｃ  孔
【図１】
2012147701.tif 000007
【図２】
2012147701.tif 000008
【図３】
2012147701.tif 000009
【図４】
2012147701.tif 000010
【図５】
2012147701.tif 000011
【図６】
2012147701.tif 000012